(57)【要約】【課題】動作モードに関係なくいつでもシャッターチャンスを逃さず静止画像の撮影が行える。【解決手段】電源が入状態ならいつでも撮影信号を入力し続ける撮影手段７と画像信号処理を行う信号処理手段５と画像信号を格納する画像メモリ３と記録媒体１への書き込み・読み込みを行う記録手段２と撮影画像を表示する表示手段６と上記全ての手段を制御するシステム制御手段８とユーザー操作を司る操作手段７とを備える。【選択図】図１
2006128756.tif 000002
【特許請求の範囲】
【請求項１】
被写体を撮影する撮影手段と、
静止画撮影開始を伝えるために撮影開始指令を出力する操作手段と、
前記操作手段によって撮影開始指令が出力された場合前記撮影手段に対して画像取り込み指令を出力するシステム制御手段と、
前記画像取り込み指令を入力したときに、前記撮影手段から出力される撮影信号を圧縮し第一の画像信号として出力するとともに、前記撮影信号を子画面サイズに圧縮した第二の画像信号と表示手段で表示している画像信号を合わせて第三の画像信号として出力する信号処理手段と、
前記信号処理手段から出力される前記第一の画像信号を格納する画像メモリと、
前記第三の画像信号を入力して表示する表示手段と、
前記撮影手段によって撮影開始指令を所定の回数入力したときに前記システム制御手段から出力される書き込み指令によって、前記画像メモリに格納されている画像信号を記録媒体に書き込む記録手段とを有することを特徴とする撮影装置。
【請求項２】
被写体を撮影する撮影手段と、
静止画撮影開始を伝えるために撮影開始指令を出力する操作手段と、
前記操作手段によって撮影開始指令が出力された場合前記撮影手段に対して画像取り込み指令を出力するシステム制御手段と、
前記画像取り込み指令を入力したときに、前記撮影手段から出力される撮影信号を圧縮し第一の画像信号として出力するとともに、前記撮影信号を子画面サイズに圧縮した第二の画像信号と表示手段で表示している画像信号を合わせて第三の画像信号として出力する信号処理手段と、
前記信号処理手段から出力される前記第一の画像信号を格納する画像メモリと、
前記第三の画像信号を入力して表示する表示手段と、
前記システム制御手段から書き込み指令が出力されたときに、前記画像メモリに格納されている前記第一の画像信号を記録媒体に書き込む記録手段とを有することを特徴とする撮影装置。
【請求項３】
ユーザー操作により操作手段から書き込み開始指令がシステム制御手段へ出力されると、前記システム制御手段から書き込み指令が記録手段へ出力され、画像メモリに格納されている画像信号を記録媒体へ書き込むことを特徴とする請求項１記載の撮影装置。
【請求項４】
ユーザー操作により操作手段から削除開始指令がシステム制御手段へ出力されると、前記システム制御手段から削除指令が出力され、画像メモリから指定した画像信号を削除することを特徴とする請求項１及び２記載の撮影装置。
【請求項５】
記録媒体へアクセスしているときに書き込み指令が出力された場合は、一旦記録媒体へのアクセスが終了してから記録手段によって画像メモリに格納されている画像信号を記録媒体へ書き込むことを特徴とする請求項１及び２記載の撮影装置。
【請求項６】
ユーザー操作により装置の電源が切れる直前に、それまでに画像メモリに格納している画像信号を記録媒体に書き込むことを特徴とする請求項１記載の撮影装置。
【請求項７】
ユーザー操作により装置の電源が切れる直前に、それまでに画像メモリに格納している第一の画像信号を記録媒体に書き込むメッセージを表示手段に表示することを特徴とする請求項１記載の撮影装置。
【請求項８】
第三の画像信号は、そのときの表示画面に対して第二の画像信号を表示画面の四隅のいずれかに所定時間、子画面として合成された信号であることを特徴とする請求項１記載の撮影装置。
【請求項９】
第三の画像信号は、そのときの表示画面に対して第二の画像信号を表示画面の四隅のいずれかに記録媒体への書き込みが終了するまで、子画面として合成された信号であることを特徴とする請求項２記載の撮影装置。
【請求項１０】
記録媒体への書き込みが終了する前に画面表示の変化を伴う操作を行った場合、記録媒体への書き込みが終了するまで操作を無効とすることを特徴とする請求項９記載の撮影装置。
【請求項１１】
記録媒体への書き込みが終了する前に画面表示の変化を伴う操作を行った場合、記録するかどうかの選択肢を表示し、ユーザーはいずれかを選択し選択した情報に従って装置の動作を制御することができることを特徴とする請求項９記載の撮影装置。
【請求項１２】
撮影開始指令が出力された場合に撮影動作を行い、
撮影動作により得られた撮像信号を圧縮し第一の画像信号として出力するとともに、その撮影信号を子画面サイズに圧縮した第二の画像信号と表示手段で表示している画像信号を合わせて第三の画像信号として出力し、
前記第一の画像信号を画像メモリに格納し、
前記第三の画像信号を表示手段に表示し、
撮影開始指令が所定の回数入力されたときに前記画像メモリに格納されている画像信号を記録媒体に書き込むことを有することを特徴とする撮影制御方法。
【請求項１３】
撮影開始指令が出力された場合に撮影動作を行い、
撮影動作により得られた撮像信号を圧縮し第一の画像信号として出力するとともに、その撮影信号を子画面サイズに圧縮した第二の画像信号と表示手段で表示している画像信号を合わせて第三の画像信号として出力し、
前記第一の画像信号を画像メモリに格納し、
前記第三の画像信号を表示手段に表示し、
書き込み指令が出力されたときに、前記画像メモリに格納されている前記第一の画像信号を記録媒体に書き込むことを特徴とする撮影制御方法。
【発明の詳細な説明】
【技術分野】
【０００１】
本発明は、内蔵メモリへ画像信号を書き込む撮影装置および撮影制御方法に関するものである。
【背景技術】
【０００２】
近年、静止画像のみではなく動画撮影も可能な電子カメラが種々製品化されており、動画撮影中でも静止画の撮影可能な電子カメラが提案されてきた。
【０００３】
例えば、特開２０００−３５２７５９号公報では、動画記録と静止画記録を独立した記録手段で行うことにより、動画撮影中でもシャッターチャンスを逃さず静止画撮影が行える電子カメラが提案されている。
【０００４】
また、従来のスチルカメラとビデオカメラの両方の機能を備えた複合カメラでは、静止画像撮影のシャッターチャンスを逃さないよう撮影モード時以外の状態でも撮影できるものが提案されてきた。
【０００５】
例えば、特開平８−１８６７５０号公報では、ビデオカメラが撮影モード以外の動作モードで動作しているときに、スチルカメラの撮影動作を開始させるようにする操作部材が操作されたときには、上記撮影モード以外の動作状態で動作しているビデオカメラを停止状態にするとともに、被写体の映像を画像表示部に表示することにより、上記ビデオカメラが撮影モード以外の動作モードで動作しているときでも、上記スチルカメラによる静止画像の撮影を直ぐに行うことができる複合カメラが提案されている。
【特許文献１】特開２０００−３５２７５９号公報
【発明の開示】
【発明が解決しようとする課題】
【０００６】
しかしながら、上記従来例では、撮影装置が撮影モード以外の動作モードで動作しているとき、一旦撮影装置を停止状態にする必要があった。すなわち、従来は、上記ビデオカメラの動作モードが再生モードで動作している場合は、撮像手段では撮像動作を行っていないため、静止画画像撮影を行うことは不可能であった。
【０００７】
そこで、本発明は常に撮影信号を入力し続け、撮影画像を内蔵メモリに格納することで、動作を停止状態にすることなくいつでもシャッターチャンスを逃さず静止画の撮影が可能とすることを目的とする。
【課題を解決するための手段】
【０００８】
請求項１に記載の発明は、被写体を撮影する撮影手段と、静止画撮影開始を伝えるために撮影開始指令を出力する操作手段と、前記撮影開始指令が出力されたときにはいつでも画像取り込み指令を出力するシステム制御手段と、前記画像取り込み指令を入力したときに、前記撮影手段から出力される撮影信号を圧縮し、第一の画像信号として出力するとともに、前記撮影信号を子画面サイズに圧縮した第二の画像信号と表示手段で表示している画像信号を合わせて第三の画像信号として出力する信号処理手段と、前記信号処理手段から前記第一の画像信号が出力されたときにはいつでも格納する画像メモリと、前記第三の画像信号を入力して表示する表示手段と、前記撮影開始指令を所定の回数入力したときに前記システム制御手段から出力される書き込み指令によって、前記画像メモリに格納されている画像信号を記録媒体に書き込む記録手段とを有することを特徴とする。
【０００９】
請求項２に記載の発明は、被写体を撮影する撮影手段と、静止画撮影開始を伝えるために撮影開始指令を出力する操作手段と、前記撮影開始指令が出力されたときにはいつでも画像取り込み指令を出力するシステム制御手段と、前記画像取り込み指令を入力したときに、前記撮影手段から出力される撮影信号を圧縮し、第一の画像信号として出力するとともに、前記撮影信号を子画面サイズに圧縮した第二の画像信号と表示手段で表示している画像信号を合わせて第三の画像信号として出力する信号処理手段と、前記信号処理手段から前記第一の画像信号が出力されたときにはいつでも格納する画像メモリと、前記第三の画像信号を入力して表示する表示手段と、前記システム制御手段から書き込み指令が出力されたときにはいつでも、前記画像メモリに格納されている前記第一の画像信号を記録媒体に書き込む記録手段とを有することを特徴とする。
【発明の効果】
【００１０】
第一の発明は、撮影装置において、撮影信号は常に撮影装置に入力されているため、動作モードに関係なく、また、現在の動作を停止させることなく、いつでも静止画撮影が行える。更に、撮影画像を画像メモリに一旦格納するので記録媒体への書き込み処理がすぐには生じないため、続けて静止画撮影が行えるという効果がある。
【００１１】
第二の発明は、第一の発明と同様に、現在の動作を停止させることなく、いつでも静止画撮影が行える。更に、静止画撮影記録媒体へ常に書き込むため内蔵するメモリサイズは少なくてよく、更にバッテリー不足等により装置の電源が落ちた場合でも記録媒体に画像信号が残っているため、ユーザー操作以外で画像が消えてしまうことを防止できるという効果がある。
【発明を実施するための最良の形態】
【００１２】
請求項１に記載の発明は、被写体を撮影する撮影手段と、静止画撮影開始を伝えるために撮影開始指令を出力する操作手段と、前記操作手段によって撮影開始指令が出力された場合前記撮影手段に対して画像取り込み指令を出力するシステム制御手段と、前記画像取り込み指令を入力したときに、前記撮影手段から出力される撮影信号を圧縮し第一の画像信号として出力するとともに、前記撮影信号を子画面サイズに圧縮した第二の画像信号と表示手段で表示している画像信号を合わせて第三の画像信号として出力する信号処理手段と、前記信号処理手段から出力される前記第一の画像信号を格納する画像メモリと、前記第三の画像信号を入力して表示する表示手段と、前記撮影手段によって撮影開始指令を所定の回数入力したときに前記システム制御手段から出力される書き込み指令によって、前記画像メモリに格納されている画像信号を記録媒体に書き込む記録手段とを有するものである。
【００１３】
請求項２に記載の発明は、被写体を撮影する撮影手段と、静止画撮影開始を伝えるために撮影開始指令を出力する操作手段と、前記操作手段によって撮影開始指令が出力された場合前記撮影手段に対して画像取り込み指令を出力するシステム制御手段と、前記画像取り込み指令を入力したときに、前記撮影手段から出力される撮影信号を圧縮し第一の画像信号として出力するとともに、前記撮影信号を子画面サイズに圧縮した第二の画像信号と表示手段で表示している画像信号を合わせて第三の画像信号として出力する信号処理手段と、前記信号処理手段から出力される前記第一の画像信号を格納する画像メモリと、前記第三の画像信号を入力して表示する表示手段と、前記システム制御手段から書き込み指令が出力されたときに、前記画像メモリに格納されている前記第一の画像信号を記録媒体に書き込む記録手段とを有するものである。
【００１４】
以下、本発明の実施の形態について図面を参照しながら説明する。
【００１５】
（実施の形態１）
図１に本発明の実施の形態１における撮影装置のブロック図を示す。
【００１６】
はじめに、図１を参照しながら、実施の形態１の撮影装置の構成について説明する。図において、１は本撮影装置に対して着脱自在でかつ本装置で撮影された映像を記録再生可能な記録媒体で、本実施の形態でばＳＤメモリーカードのような半導体メモリからなる記録媒体を用いたが、ディスク状やテープ状など他の形態の記録媒体であっても構わず、これらに限定されるものではない。
【００１７】
２は本装置で撮影され入力された画像信号を記録媒体１に書き込み、また記録媒体１に記録されている画像信号を読み出す記録手段で、記録媒体１として半導体メモリを用いる場合は、コンタクトピンなどのように半導体メモリの電気接点に接触して信号の授受が行えるものに相当する。また、記録媒体が光学式ディスクの場合は光ピックアップ、磁気式のもの（磁気テープやハードディスク）の場合は磁気ヘッドに相当するが、これらに限定されるものではない。
【００１８】
４は撮影信号を常に入力し続ける撮影手段で、固体撮像素子（ＣＣＤ）などの撮像手段やレンズなどから構成される。その撮像方法については、既に周知であるため詳細説明は省略する。
【００１９】
５は撮影手段４で撮影された撮影信号を画像信号として記録媒体１に記録するための形式に圧縮変換し、逆に画像信号を表示するための信号に変換する信号処理手段である。
【００２０】
３は信号処理手段５で圧縮変換された画像信号を一時的に格納しておく画像メモリで、記録媒体１から画像信号を再生した時にも画像信号が一時的に格納される。
【００２１】
６は信号処理手段５で変換生成された画像信号を表示する表示手段で、信号処理手段５から入力される信号を表示デバイスに対して表示可能なように制御している。なお、本実施の形態に用いる表示デバイスは、一般にビデオカメラやデジタルスチルカメラに搭載された１〜４インチ程度の液晶ディスプレイに相当し、撮影中の画像や、記録媒体から再生された画像を表示することができる。なお、本実施の形態では表示手段６は撮影装置に内蔵されたものとして図示しているが、撮影装置に画像出力用の端子を設け、外部接続されたテレビジョン受像機などの表示装置に画像信号を出力し、表示させるようにしてもよい。
【００２２】
７は撮影装置に設けられ使用者によって操作される操作手段で、本実施の形態では少なくとも撮影開始指令を出力するものである。
【００２３】
８は記録手段２、撮影手段４、信号処理手段５、表示手段６を制御するシステム制御手段である。なお図中において、システム制御を示す矢印を点線にて示した。
【００２４】
次に、実施の形態１の撮影装置および撮影制御方法の動作について説明する。
【００２５】
まず、実施の形態１の動作について図２を参照しながら説明する。電源が入った状態（Ｓ２０１）で、操作手段７は、シャッターボタン（図示せず）押下などの静止画撮影操作が行われた場合は撮影開始指令（Ｓ２０２）、静止画像を画像メモリ３から削除する操作が行われた場合は削除開始指令（Ｓ２０３）、画像メモリ３に格納されている画像信号を記録媒体１へ書き込む場合は書き込み開始指令（Ｓ２０４）、電源を切ろうとする操作が行われた場合は電源停止指令（Ｓ２０５）をシステム制御手段８へそれぞれ出力する。
【００２６】
まず、操作手段７から撮影開始指令が出力された場合について図３を参照しながら説明する。
【００２７】
操作手段７から出力される撮影開始指令が３０回以下であるかどうかをシステム制御手段８がチェックする（Ｓ３０１）。３０回以下の場合は、システム制御手段８から画像取り込み指令が撮影手段４へ入力され、撮影手段４で撮影している撮影信号が信号処理手段５へ入力される。そして、信号処理手段５は前記撮影信号を記録媒体１に記録するための形式に圧縮変換した第一の画像信号と、前記撮影信号を表示手段６に子画面サイズで表示するための形式に圧縮変換した第二の画像信号に変換する。
【００２８】
変換終了後、画像メモリ３は、信号処理手段５から出力される前記第一の画像信号を格納する（Ｓ３０２）。格納する処理に併せて、信号処理手段５は前記第二の画像信号と現在の表示画面とを合わせた第三の画像信号を表示手段６へ出力する。システム制御手段８は、表示手段６に第三の画像信号を３秒間表示するよう指示した後、撮影開始指令回数をカウントする（Ｓ３０３）。表示手段６は第三の画像信号を３秒間表示後、子画面を消去した現在のモードの通常画面へ戻る。
【００２９】
前記撮影開始指令が３０回に達した場合（つまり３０枚撮影した場合）、システム制御手段８はカードアクセス中かどうか動作モードを見てチェックする（Ｓ３０４）。カードアクセス中ではない場合は、システム制御手段８は記録手段２へ書き込み指令を出力する。同時にシステム制御手段８は、表示手段６へ「カード記録中」メッセージを表示するように指示する。記録手段２は前記書き込み指令を受けて、画像メモリ３内の画像信号を全て記録媒体１へ書き込む（Ｓ３０６）。
【００３０】
書き込み終了後、記録手段２はシステム制御手段８へ書き込み完了通知を行い、それを受けてシステム制御手段８から出力されるメモリ消去指令を入力とし信号処理手段５は画像メモリ３内の画像信号を全て消去する（Ｓ３０７）。また、システム制御手段８は、前記書き込み完了通知を受けて撮影開始指令回数をクリアし（Ｓ３０８）、表示手段６へ前記「カード記録中」メッセージを消去するように指示する。
【００３１】
カードアクセス中の場合は、カードアクセス処理が完了するまで待機する（Ｓ３０５）。カードアクセス完了後に、上記と同様の記録媒体への書き込み処理を行う。
【００３２】
次に、操作手段７から削除開始指令が出力された場合について図４を参照しながら説明する。
【００３３】
ユーザーが画像メモリ３から削除したい撮影画像が選択できるよう表示手段６に子画面表示するため、操作手段７からシステム制御手段８へ削除開始指令が出力されたとき、システム制御手段８は信号処理手段５へ画像メモリ内の第一の画像信号を第二の画像信号へ圧縮変換し、前記第二の画像信号と現在表示手段６に表示されている画像信号と合わせた第三の画像信号を出力するよう指示し、信号処理手段５から出力される前記第三の画像信号を入力とし表示手段６は、画像メモリ３内の撮影画像を子画面で順番に表示する。また、その上部には、例えば「以下の画像を削除しますか？」「する」「しない」の選択メッセージを常に表示する。ユーザーは削除したい撮影画像を子画面で確認した後、削除するかどうかの選択を行う。
【００３４】
「削除する」が選択されたとき（Ｓ４０１）、操作手段７から入力される削除決定指令を受けてシステム制御手段８から削除指令が信号処理手段５へ出力される。それを受けて信号処理手段５は画像メモリ３から、現在表示手段６に表示されている画像信号に対応する第一の画像信号を削除する（Ｓ４０２）。削除完了後、信号処理手段５はシステム制御手段８へ削除完了通知を送り、それを受けてシステム制御手段８は撮影開始指令回数をデクリメントし（Ｓ４０３）、表示手段６へ前記選択メッセージと子画面を消すように指示する。表示手段６は現在のモードの通常画面へ戻る。
【００３５】
また、「削除しない」が選択された場合は、操作手段７から入力される削除取り消し指令を受けてシステム制御手段８は表示手段６に前記選択メッセージと子画面を消すように指示し、撮影開始指令回数をカウントする（Ｓ４０４）。表示手段６は現在のモードの通常画面へ戻る。
【００３６】
次に、操作手段７から書き込み開始指令が出力された場合について、図５を参照しながら説明する。
【００３７】
操作手段７から出力される書き込み開始指令を受けてシステム制御手段８は信号処理手段５へ画像メモリ確認指令を出力する。それを受けて信号処理手段５は画像メモリ３内に画像信号が存在しているかどうかをチェックする（Ｓ５０１）。画像信号が残っていない場合は、信号処理手段５から送られる画像メモリ空通知を受けてシステム制御手段８は、表示手段６へ例えば「メモリに画像が存在しません」という警告メッセージを３秒間表示するように指示する。
【００３８】
表示手段６は、表示終了後、現在のモードの通常画面へ戻る。画像メモリ３に画像信号が存在する場合は、信号処理手段５から送られる画像信号存在通知を受けて、システム制御手段８は、表示手段６に例えば「静止画像をカードに書き込みますか？」「する」「しない」という確認メッセージを表示するように指示する（Ｓ５０２）。ユーザーは記録媒体１へ書き込むかどうかの選択が行え、書き込む場合は操作手段７から書き込み決定指令がシステム制御手段８へ出力され、システム制御手段８はカードアクセス中かどうか動作モードを見てチェックする（Ｓ５０３）。カードアクセス中ではない場合は、システム制御手段８は記録手段２へ書き込み指令を出力する。同時に、システム制御手段８は、表示手段６へ「カード記録中」というメッセージを表示するように指示する。
【００３９】
記録手段２は前記書き込み指令を受けて、画像メモリ３内の画像信号を全て記録媒体１へ書き込む（Ｓ５０５）。書き込み終了後、記録手段２はシステム制御手段８へ書き込み完了通知を行い、それを受けてシステム制御手段８から出力されるメモリ消去指令を入力とし信号処理手段５は画像メモリ３内の画像信号を全て消去する（Ｓ５０６）。また、システム制御手段８は、前記書き込み完了通知を受けて、撮影開始指令回数をクリアし（Ｓ５０７）、表示手段６へ前記「カード記録中」メッセージを消去するように指示する（図３ステップ６）。
【００４０】
カードアクセス中の場合は、カードアクセス処理が終了するまで待機する（Ｓ５０４）。カードアクセス完了後、上記と同様にして記録媒体への書き込み処理を行う。
【００４１】
次に、操作手段７から電源停止指令が出力された場合について図６を参照しながら説明する。電源が入った状態で電源を切ろうとしたとき、自動的に画像メモリ３内の画像信号を記録媒体１へ書き込む場合と、記録媒体１へ書き込むかどうかをユーザーが選択できる場合がある。
【００４２】
自動的に書き込む場合は、操作手段７からシステム制御手段８へ電源停止指令が出力されると、システム制御手段８は信号処理手段５へ画像メモリ確認指令を出力する。それを受けて信号処理手段５は画像メモリ３内に画像信号が存在しているかどうかをチェックする（Ｓ６０１）。画像メモリが残っていない場合は、信号処理手段５から送られる画像メモリ空通知を受けてシステム制御手段８は撮影開始指令回数をクリアする（Ｓ６０７）。その後、電源がオフの状態になる（Ｓ６０８）。
【００４３】
画像メモリ３に画像信号が存在する場合は、信号処理手段５から送られる画像信号存在通知を受けて、システム制御手段８はカードアクセス中かどうか動作モードを見てチェックする。カードアクセス中ではないときは、システム制御手段８は記録手段２へ書き込み指令を出力し、表示手段６へ「カード記録中」メッセージを表示するように指示する。前記書き込み指令を受けて、記録手段２は画像メモリ３内の画像信号を記録媒体１へ書き込む。書き込み終了後、記録手段２はシステム制御手段８へ書き込み完了通知を送り、それを受けてシステム制御手段８は撮影開始指令回数をクリアする（Ｓ６０７）。その後、電源がオフの状態になる（Ｓ６０８）。
【００４４】
記録媒体１への書き込み確認メッセージを表示する場合には、画像メモリ３に画像信号が存在しないときは、上記と同様の処理を行う。画像メモリ３に画像信号が存在する場合は、信号処理手段５から送られる画像信号存在通知を受けて、システム制御手段８は表示手段６に例えば「カードに記録しますか？」「する」「しない」の選択メッセージを表示するように指示する。ユーザーは記録媒体１へ書き込むかどうかを選択することができ、書き込む場合は操作手段７からシステム制御手段８へ書き込み決定指令が出力され（Ｓ６０２）、システム制御手段８はカードアクセス中かどうか動作モードを見てチェックする（Ｓ６０３）。
【００４５】
カードアクセス中ではない場合は、システム制御手段８から書き込み指令が記録手段２へ出力され、システム制御手段８は表示手段６へ「カード記録中」メッセージを表示するように指示する。前記書き込み指令を受けて記録手段２は画像メモリ３内の画像信号全てを記録媒体１へ書き込む（Ｓ６０５）。書き込み終了後、記録手段２はシステム制御手段８へ書き込み完了通知を行う。システム制御手段８は、前記書き込み完了通知を受けて表示手段６へ前記「カード記録中」メッセージを消去するよう指示し、撮影開始指令回数をクリアする（Ｓ６０７）。その後、電源がオフの状態になる（Ｓ６０８）。
【００４６】
カードアクセス中の場合は、カードアクセスが完了するまで待機し（Ｓ６０５）、上記と同様にして書き込み処理を行い、電源がオフの状態になる（Ｓ６０８）。
【００４７】
また、記録媒体１に書き込まない場合は操作手段７からシステム制御手段８へ書き込み取り消し指令が出力され、システム制御手段８は表示手段６に前記選択メッセージを消すように指示し、撮影開始指令回数をクリアした後（Ｓ６０７）、電源がオフの状態になる（Ｓ６０８）。
【００４８】
次に、表示手段６について、図８を参照して説明する。撮影手段４から入力される撮影信号は、信号処理手段５によって子画面サイズに圧縮変換された第二の画像信号と現在表示手段６に表示されている画像信号と合わせた第三の画像信号を表示手段６に表示するが、そのときの画面仕様の一例を図６（ａ）に示す。図のように、表示画面の四隅のいずれかに撮影画像を子画面表示する。また、確認メッセージの表示位置の一例を図６（ｂ）に示す。図のように、子画面の上部に確認メッセージを表示し、ユーザー操作により選択することができる。
【００４９】
なお、本実施の形態の説明において、撮影開始指令回数の上限を３０回としたが、内蔵メモリ３のサイズに応じた回数へ変更したとしても同様にして実施可能であることはいうまでもない。
【００５０】
また、子画面表示時間を３秒間とし、子画面表示位置を画面右下としたが、撮影画像が確認可能であれば表示時間を変更し、子画面表示位置を変更したとしても同様にして実施可能であることはいうまでもない。
【００５１】
その他、本発明は、その要旨を逸脱しない範囲内で種々変形して実施することが可能であるものとする。
【００５２】
以上、説明したように、撮影装置の動作を停止させることなく、撮影手段４から入力される撮影画像をいつでも撮影することができ、画像メモリ３に撮影画像を格納することで続けて撮影することが可能となる。このようにすることで、シャッターチャンスを確実に逃すことなく静止画撮影することが可能である。また、画像メモリ３を増設することでより多くの静止画画像を格納することができる。
【００５３】
（実施の形態２）
次に、本発明の実施の形態２における撮影装置および撮影制御方法について説明する。本実施の形態の撮影装置のブロック図は実施の形態１のブロック図である図１と同じである。各ブロックの動作は、操作手段７から撮影開始指令が出力されたときの動作以外は同じであるので、ここでは処理が異なる動作についてのみ説明する。
【００５４】
実施の形態２の操作手段７から撮影開始指令が出力されたときの動作について、図８を参照しながら説明する。
【００５５】
まず、電源が入った状態で（Ｓ８０１）、操作手段７から入力される撮影開始指令を受けて（Ｓ８０２）、システム制御手段８は画像取り込み指令を撮影手段４へ出力すると、撮影信号が撮影手段４より信号処理５へ出力される。そして、信号処理手段５は前記撮影信号を記録媒体１に記録するための形式に圧縮変換した第一の画像信号と、前記撮影信号を表示手段６に子画面サイズで表示するための形式に圧縮変換した第二の画像信号に変換する。変換終了後、信号処理手段５は前記第一の画像信号を画像メモリ３に格納する（Ｓ８０３）。信号処理手段５から格納完了通知がシステム制御手段８へ送られ、それを受けてシステム制御手段８は記録手段２がカードアクセス中かどうかモードを見てチェックする（Ｓ８０４）。
【００５６】
カードアクセス中ではない場合は、システム制御手段８は記録手段２に書き込み指令を出力する。それを受けて記録手段２は前記第一の画像信号を記録媒体１に書き込む（Ｓ８０６）。信号処理手段５は、前記格納完了通知を送ると、前記第二の画像信号と現在の画面表示を合わせた第三の画像信号を表示手段６へ出力する。システム制御手段８は、表示手段６に第三の画像信号を記録媒体１への書き込みが終了するまで表示するように指示する。記録手段２は書き込み終了後、書き込み完了通知をシステム制御手段８へ送り（Ｓ８０７）、それを受けてシステム制御手段８から出力されるメモリ消去指令を入力とし信号処理手段５は画像メモリ３内の画像信号を全て消去する（Ｓ８０８）。また、システム制御手段８は、前記書き込み完了通知を受けて、表示手段６へ現在のモードの通常画面を表示するように指示する。
【００５７】
カードアクセス中の場合は、カードアクセスが完了するまで待機し（Ｓ８０５）、上記と同様にして書き込み処理を行う。
【００５８】
次に、記録媒体１への書き込みが終了する前に画面遷移を伴う操作が行われたときの動作について説明する。記録手段２からシステム制御手段８へ書き込み完了通知が送られる前に、画面遷移を伴う操作が操作手段７からシステム制御手段８へ出力されたとき、操作を無効にする場合と、記録媒体１へ記録するかどうかユーザーが選択できる場合がある。
【００５９】
まず、操作を無効にする場合は、操作手段７からの画面遷移を伴う操作入力をシステム制御手段８で無効にしてしまい、記録手段２から書き込み終了通知が送られるまで、何も行わない。
【００６０】
次に、ユーザーが記録するかどうか選択できる場合は、操作手段７からシステム制御手段８へ画面遷移を伴う操作入力があったとき、システム制御手段は書き込み停止指令を記録手段２へ出力すると同時に、表示手段６へ例えば「カード記録を中止しますか？」「する」「しない」の選択メッセージを表示するように指示する。ユーザー操作により「しない」が選択された場合は、操作手段７から書き込み決定指令がシステム制御手段８へ出力され、システム制御手段８は再度記録手段２へ書き込み指令を出力し、書き込み処理を続行させる。
【００６１】
また、ユーザー操作により「する」が選択された場合は、操作手段７から書き込み中止指令が出力され、システム制御手段８は記録手段２へ書き込み取り消し指令を出力し、記録手段２は記録媒体１への書き込み処理を中止する。
【００６２】
以上、説明したように、撮影装置の動作を停止させることなく、撮影手段４から入力される撮影画像をいつでも撮影することができる。このようにすることで、シャッターチャンスを確実に逃すことなく静止画撮影することが可能である。
【００６３】
また、撮影開始指令が入力されると常に記録媒体１へ書き込むので、瞬停などのユーザー操作以外で電源がオフの状態へ移行する場合でも、撮影画像が消去されないようにすることが可能である。
【００６４】
なお、本実施の形態の説明において、メッセージの一例を提示したが、ユーザーが処理内容を確認できる範囲内で変更したとしても同様にして実施可能であることはいうまでもない。
【００６５】
その他、本発明は、その要旨を逸脱しない範囲内で種々変形して実施することが可能であるものとする。
【産業上の利用可能性】
【００６６】
本発明は、撮影手段と記録手段とを有したものに利用することができる発明で、特にデジタルスチルカメラやビデオカメラやカメラ付き携帯電話などが利用例である。
【図面の簡単な説明】
【００６７】
【図１】本発明の撮影装置の構成を示すブロック図
【図２】本発明の動作処理手順を示すフローチャート
【図３】本発明の撮影開始指令出力時の処理手順を示すフローチャート
【図４】本発明の削除開始指令出力時の処理手順を示すフローチャート
【図５】本発明の書き込み開始指令出力時の処理手順を示すフローチャート
【図６】本発明の電源停止指令出力時の処理手順を示すフローチャート
【図７】本発明の表示手段４の画面構成を示す模式図
【図８】本発明の撮影する度に記録媒体へ書き込む処理手段の処理手順を示すフローチャート
【符号の説明】
【００６８】
１    記録媒体
２    記録手段
３    画像メモリ
４    信号処理手段
５    表示手段
６    撮影手段
７    操作手段
８    システム制御手段
【図１】
2006128756.tif 000003
【図２】
2006128756.tif 000004
【図３】
2006128756.tif 000005
【図４】
2006128756.tif 000006
【図５】
2006128756.tif 000007
【図６】
2006128756.tif 000008
【図７】
2006128756.tif 000009
【図８】
2006128756.tif 000010